(57)【要約】 【課題】真空配管内の殺菌を確実に行うことのできる真空冷却装置を提供する。【解決手段】被冷却物を収容する処理槽２、処理槽２と真空配管９によって接続しており処理槽内の気体を吸引する真空発生装置１、真空発生装置１が処理槽２から吸引している気体を途中で冷却する熱交換器４・５を持ち、処理槽内を真空化することで被冷却物の冷却を行う真空冷却装置であって、真空配管９の熱交換器４・５より上流側に洗浄水を供給する上流用洗浄水配管１６を接続し、上流用洗浄水配管１６の途中には上流用洗浄水弁１３を設置しておき、上流用洗浄水配管１６から熱交換器４・５へ洗浄用水を供給することができるようにする。【選択図】図１
2018080846.tif 000002
【特許請求の範囲】
【請求項１】
被冷却物を収容する処理槽、処理槽と真空配管によって接続しており処理槽内の気体を吸引する真空発生装置、真空発生装置が処理槽から吸引している気体を途中で冷却する熱交換器を持ち、処理槽内を真空化することで被冷却物の冷却を行う真空冷却装置であって、真空配管の熱交換器より上流側に洗浄水を供給する上流用洗浄水配管を接続し、上流用洗浄水配管の途中には上流用洗浄水弁を設置しておき、上流用洗浄水配管から熱交換器へ洗浄用水を供給することができるようにしたことを特徴とする真空冷却装置。
【請求項２】
請求項１に記載の真空冷却装置において、熱交換器は、上流側の第一熱交換器と下流側の第二熱交換器の２段階としており、真空配管の第一熱交換器より上流側に接続する上流用洗浄水配管と、第二熱交換器より下流側に接続する下流用洗浄水配管を設置し、上流用洗浄水配管の途中には上流用洗浄水弁、下流用洗浄水配管の途中には下流用洗浄水弁を設置しておき、洗浄用水を、上流用洗浄水配管から第一熱交換器へと、下流用洗浄水配管から第二熱交換器へ供給することができるようにしたことを特徴とする真空冷却装置。
【請求項３】
請求項２に記載の真空冷却装置において、上流用洗浄水配管及び下流用洗浄水配管の上流用洗浄水弁及び下流用洗浄水弁より上流側に、洗浄水に殺菌作用を持たせるための殺菌剤を添加する殺菌剤供給配管を接続していることを特徴とする真空冷却装置。 
【請求項４】
請求項１から３のいずれかに記載の真空冷却装置において、熱交換器へ供給した洗浄用水を排出する排水管には洗浄水の流出を止める排水遮断弁を設置しておき、熱交換器を洗浄する場合、排水遮断弁を開いて行う流水洗浄と、排水遮断弁を閉じて行う浸け置き洗浄を行えるようにしていることを特徴とする真空冷却装置。
【発明の詳細な説明】
【技術分野】
【０００１】
本発明は処理槽内を真空化し、処理槽内の被冷却物から水分を蒸発させた際に発生する気化熱を利用して被冷却物を冷却する真空冷却装置に関するものである。 
【背景技術】
【０００２】
処理槽内に加熱調理した食品などの被冷却物を収容しておき、処理槽内を真空化することで被冷却物を冷却する真空冷却装置がある。被冷却物を収容している処理槽内を減圧し、処理槽内での沸点を被冷却物の温度よりも低下させると、被冷却物中の水分が蒸発し、その際に被冷却物から気化熱を奪うため、被冷却物を短時間で冷却することができる。真空冷却装置に使用する真空発生装置としては、水又は蒸気によるエジェクタや水封式又はドライ式の真空ポンプによるものが知られている。真空発生装置にて処理槽内の気体を吸引する場合、吸引気体と同時に被冷却物から発生した蒸気も吸引することになる。しかし、水は液体から気体に変わると体積が大幅に増大するため、蒸気をそのまま真空発生装置に吸引させたのでは、真空発生装置で排出しなければならない気体量が多くなる。その場合、処理槽内の減圧に要する時間が長くなるため、冷却工程時間が長くなってしまう。 
【０００３】
そのため、特開２０１４−１５２９８２号公報に記載があるように、処理槽内の気体を真空発生装置へ送る真空配管の途中に、真空発生装置が吸引している気体を冷却する熱交換器を設け、真空配管の途中で気体を冷却することが行われている。熱交換器によって気体の冷却を行うと、気体の体積が縮小し、特に蒸気を冷却して液体に戻すと体積は大幅に小さくなるため、真空発生装置が吸引する気体の体積が小さくなり、真空冷却の効率を高めることができる。特開２０１４−１５２９８２号公報に記載の発明では、冷水ユニットによって製造した冷水をためる冷水タンク内に熱交換器の伝熱管を設置した構成であって、冷水タンクの上部から冷水部分を貫通させて冷水タンクの下部まで達するようにしている第一熱交換器と、冷水タンクの下部から冷水部分を貫通させて冷水タンクの上部まで達するようにしている第二熱交換器を設け、第一熱交換器と第二熱交換器は冷水タンクの下部で連結した構造としている。
【０００４】
食品を冷却する真空冷却装置の場合、処理槽内だけでなく真空配管内や熱交換器内も清潔に保つことが必要であるが、熱交換器は内部の構造が複雑であるため洗浄し難い。そして、熱交換器内の殺菌を行う場合の殺菌方法としては、熱交換器内に蒸気や供給することができるようにしておき、熱によって殺菌することが行われていた。真空配管内を加熱することで殺菌を行うことができるが、熱交換器内の流路が長い、又は流路の構成部材の比熱が異なることによって温度ムラが発生するなどにより、殺菌が不十分になることがあるとの問題があった。また、真空冷却装置のドレン配管などの排水配管では、経済性によって塩ビ配管が用いられることが多いが、蒸気での加熱による殺菌を行う場合には、排水配管も耐熱性の配管施工が必要となるため、コストの上昇を招くことになることも問題であった。
【先行技術文献】
【特許文献】
【０００５】
【特許文献１】特開２０１４−１５２９８２号公報
【発明の概要】
【発明が解決しようとする課題】
【０００６】
本発明が解決しようとする課題は、真空冷却装置において、真空配管内の洗浄や殺菌をムラなく確実に行うことのできる真空冷却装置を提供することにある。
【課題を解決するための手段】
【０００７】
請求項１に記載の発明は、被冷却物を収容する処理槽、処理槽と真空配管によって接続しており処理槽内の気体を吸引する真空発生装置、真空発生装置が処理槽から吸引している気体を途中で冷却する熱交換器を持ち、処理槽内を真空化することで被冷却物の冷却を行う真空冷却装置であって、真空配管の熱交換器より上流側に洗浄水を供給する上流用洗浄水配管を接続し、上流用洗浄水配管の途中には上流用洗浄水弁を設置しておき、上流用洗浄水配管から熱交換器へ洗浄用水を供給することができるようにしたことを特徴とする。
【０００８】
請求項２に記載の発明は、前記の真空冷却装置において、  熱交換器は、上流側の第一熱交換器と下流側の第二熱交換器の２段階としており、真空配管の第一熱交換器より上流側に接続する上流用洗浄水配管と、第二熱交換器より下流側に接続する下流用洗浄水配管を設置し、上流用洗浄水配管の途中には上流用洗浄水弁、下流用洗浄水配管の途中には下流用洗浄水弁を設置しておき、洗浄用水を、上流用洗浄水配管から第一熱交換器へと、下流用洗浄水配管から第二熱交換器へ供給することができるようにしたことを特徴とする。
【０００９】
請求項３に記載の発明は、前記の真空冷却装置において、上流用洗浄水配管及び下流用洗浄水配管の上流用洗浄水弁及び下流用洗浄水弁より上流側に、洗浄水に殺菌作用を持たせるための殺菌剤を添加する殺菌剤供給配管を接続していることを特徴とする。
【００１０】
請求項４に記載の発明は、前記の真空冷却装置において、熱交換器へ供給した洗浄用水を排出する排水管には洗浄水の流出を止める排水遮断弁を設置しておき、熱交換器を洗浄する場合、排水遮断弁を開いて行う流水洗浄と、排水遮断弁を閉じて行う浸け置き洗浄を行えるようにしていることを特徴とする。
【発明の効果】
【００１１】
本発明を実施することで、真空配管の熱交換器内を洗浄殺菌することができ、被冷却物が汚染されることなく冷却することができる。
【図面の簡単な説明】
【００１２】
【図１】本発明の一実施例における真空冷却装置のフロー図
【発明を実施するための形態】
【００１３】
本発明の一実施例を図面を用いて説明する。図１は本発明の実施例における真空冷却装置のフロー図である。真空冷却装置は、処理槽２、真空発生装置１、第一熱交換器４、第二熱交換器５、冷水ユニット３、冷水タンク１０などからなっている。真空冷却装置は、処理槽２の内部を真空化することによって、処理槽２に収容した被冷却物（高温の食品）から水分を蒸発させ、その際に発生する気化熱の作用によって冷却を行う。 
【００１４】
処理槽２と真空発生装置１の間は、真空配管９によって接続しておき、真空発生装置１を作動することによって処理槽２内の気体を排出する。このとき、処理槽２内の気体とともに被冷却物から発生した蒸気も真空発生装置１で吸引するようにしていると、真空発生装置１が吸引しなければならない気体の容積が大きくなり、処理槽２内の減圧に時間が掛かることになるため、冷却時間が長くなる。そのため真空配管９の途中には熱交換器を設けておき、真空発生装置１が吸引している気体や気体中に含まれている蒸気を熱交換器で冷却することによって、吸引しなければならない気体の体積を縮小している。 
【００１５】
熱交換器は、上流側の第一熱交換器４と下流側の第二熱交換器５の２段階とし、冷水タンク１０内に設けている。第一熱交換器４と下流側の第二熱交換器５の伝熱管は、冷水タンク１０の水部を貫通させるようにして設置している。第一熱交換器４の上部には処理槽２から吸引してきた気体を第一熱交換器４の複数の伝熱管に分散させるための上部分散室、第二熱交換器５の上部には第二熱交換器５の複数の伝熱管を流れてきた気体を集合させる上部集合室を設ける。 
【００１６】
冷水タンク１０は直方体形状であって、冷水ユニット３との間を冷却用水配管７によって接続しておき、冷水ユニット３で発生させた冷水をためておくものである。冷却用水配管７は、冷水ユニット３と冷水タンク１０の間で冷水を循環させることができるようにしており、冷却用水配管７の途中には循環ポンプ８を設けている。冷水タンク１０の下部には、第一熱交換器４の複数の伝熱管に分かれて流れてきた気体を集合させる下部集合室を設ける。下部集合室は、冷水タンク１０の下部で気体流をターンさせて第二熱交換器５へ流すものであり、下部集合室の天井面は冷水タンクの底板としており、第一熱交換器４及び第二熱交換器５の伝熱管下端は下部集合室まで達する構成としている。下部集合室の底部にはドレン配管を接続しておき、熱交換器で発生した凝縮水（ドレン）はドレン配管を通して下方に設けているドレンタンク６へ送ることができるようにしておく。ドレン配管の途中には排水遮断弁１９を設置しておき、排水遮断弁１９の開閉で排水の操作を行う。
【００１７】
処理槽２からの真空配管９は第一熱交換器４の上部分散室に接続し、真空発生装置１へ接続している真空配管９は第二熱交換器５の上部集合室に接続しておき、処理槽２から吸引してきた気体は、第一熱交換器４と第二熱交換器５を通った後に真空発生装置１へ達するようにしておく。第一熱交換器４は上部分散室と下部集合室の間を多数の伝熱管でつなぎ、第二熱交換器５も上部集合室と下部集合室の間を多数の伝熱管でつないでいるものである。そのため、処理槽２から取り出された気体は、上部分散室から第一熱交換器４の伝熱管に分かれて進み、冷水タンク１０の下方に設けている下部集合室に入ることで集合する。その後、下部集合室でターンした後に再び第二熱交換器５の伝熱管に分かれて進み、上部集合室１３で集合した後に真空発生装置１に向かうことになる。第一熱交換器４及び第二熱交換器５の伝熱管は、冷水タンク１０の水部を貫通させて設置しているため、伝熱管の外側は冷水タンク１０の冷水に接している。 
【００１８】
真空配管９の処理槽２と第一熱交換器４の間に上流真空弁１１、真空配管９の第二熱交換器５と真空発生装置１の間に下流真空弁１２を設置しておき、真空配管９は上流真空弁１１と下流真空弁１２で閉鎖できるようにしている。また真空配管９には、第一熱交換器４および第二熱交換器５の洗浄と殺菌を行うための洗浄水配管を接続しておく。洗浄水配管は、真空配管９の上流真空弁１１から第一熱交換器４までの間に接続する上流用洗浄水配管１６と、第二熱交換器から下流真空弁１２までの間に接続する下流用洗浄水配管１７を設置している。上流用洗浄水配管１６の接続部と、下流用洗浄水配管１７の接続部は、第一熱交換器４及び第二熱交換器５よりも高い位置としておき、洗浄水は第一熱交換器４及び第二熱交換器５の上方から下方へ自然に流れるようにしておく。
【００１９】
そして上流用洗浄水配管１６の途中には上流用洗浄水弁１３、下流用洗浄水配管１７の途中には下流用洗浄水弁１４を設置しておき、洗浄水を流す時のみ上流用洗浄水弁１３と下流用洗浄水弁１４を開くようにしておく。上流用洗浄水配管１６及び下流用洗浄水配管１７の上流用洗浄水弁１３及び下流用洗浄水弁１４より上流側部分には、洗浄水に殺菌作用を持たせるための殺菌剤を添加する殺菌剤供給配管１８を設置している。洗浄水に殺菌作用をもたせるために添加するものとしては、次亜塩素酸ナトリウムが広く用いられている。もちろん殺菌作用のあるものであればよいため、この殺菌剤は次亜塩素酸ナトリウムに限られるものではない。また、殺菌剤供給配管１８を通して中性洗剤等の洗浄成分も添加できるようにしておいてもよい。殺菌剤供給配管１８には殺菌剤供給弁１５を設置しており、殺菌剤供給弁１５によって殺菌剤の供給を調節する。
【００２０】
実施例での運転動作を説明する。真空冷却をする場合は、処理槽２内に被冷却物を収容し、処理槽２を密閉しておく。上流用洗浄水弁１３、下流用洗浄水弁１４、殺菌剤供給弁１５は、洗浄時に開くものであり、冷却時には閉じておく。真空発生装置１、冷水ユニット３、循環ポンプ８の各機器類を作動することで真空冷却運転を行うと、処理槽２内の気体が真空配管９を通して真空発生装置１から取り出され、処理槽２内の圧力が低下していく。処理槽内の圧力が低下すると、処理槽２内に収容している被冷却物から水分が蒸発し、水分が蒸発する際には周囲から気化熱を奪うため、被冷却物の温度は急激に低下していく。 
【００２１】
真空配管９を通して送られてきた気体は、第一熱交換器４の上部分散室から複数の伝熱管に分岐して下向きに流れ、下部集合室へ向かう。伝熱管は低温の冷水をためた冷水タンク１０に設置しているものであり、伝熱管の外側表面は冷水に接しているために伝熱管では周囲から冷却されている。そのため伝熱管内を流れる気体は、伝熱管の周囲から冷却されながら進むことになる。第一熱交換器４内を下向きに流れた気体は、下部集合室でターンして第二熱交換器５内を上向きに流れる。第二熱交換器５の伝熱管も周囲で冷水と接しているために第二熱交換器５内を流れる気体は更に冷却される。 
【００２２】
第一熱交換器４及び第二熱交換器５で気体の冷却を行うと、気体中に含まれていた蒸気が凝縮し、凝縮水は伝熱管内側表面を伝わり落ちて伝熱管の下方にある下部集合室へ流れ落ちる。下部集合室の底部に流れ落ちた凝縮水は、下部集合室の底部に接続しているドレン配管を通して下方に設置しているドレンタンク６へ流れ落ちていく。蒸気が凝縮水になると体積は大幅に小さくなるため、処理槽２から吸引してきた気体は第一熱交換器４で体積を縮小させ、第二熱交換器５でさらに体積を縮小させる。そのため、第二熱交換器５で必要な気体流路の断面積は、第一熱交換器４に比べると小さくなっており、第二熱交換器の伝熱管設置数は第一熱交換器４よりも少なくすることができる。気体の体積が小さくなると、真空発生装置１で排出しなければならない気体量が少なくなるため、より早く処理槽２内の圧力を低下することができ、冷却に要する時間を短縮させることができる。冷却が終了すると、真空発生装置１などを停止し、処理槽２内に大気を導入することで処理槽内を大気圧に戻す。処理槽内が大気圧に戻ると、処理槽の扉を開くことができるようになり、処理槽２内から被冷却物を取り出すことができる。 
【００２３】
１日の冷却工程が終了した後のタイミングで真空冷却装置の洗浄を行う。第一熱交換器４及び第二熱交換器５で洗浄や殺菌を行う場合、上流真空弁１１と下流真空弁１２は閉じておき、上流用洗浄水弁１３と下流用洗浄水配管１７を開くことで洗浄水の供給を行う。洗浄の場合は水に洗剤を添加した洗浄水を供給し、殺菌の場合は水に殺菌剤を添加した殺菌用水を供給する。殺菌する場合は殺菌剤供給弁１５を開くことで洗浄水に次亜塩素酸ナトリウム等の殺菌剤を添加して洗浄水に殺菌作用を持たせる。洗浄水（殺菌水）は、上流用洗浄水配管１６を通して上流真空弁１１と第一熱交換器４の間に送るものと、下流用洗浄水配管１７を通して第二熱交換器５と下流真空弁１２の間に送るものの２系統で供給する。図中では洗浄水の流れは黒塗りの矢印で示している。
【００２４】
上流用洗浄水配管１６を通して送った洗浄水は、第一熱交換器４の上部に設けている上部分散室に入って、上部分散室と接続している複数の伝熱管に分散し、伝熱管内を下向きに流れて伝熱管の下方にある下部集合室へ流れ落ちる。下流用洗浄水配管１７を通して送った洗浄水は、第二熱交換器５の上部に設けている上部集合室に入って、上部集合室と接続している複数の伝熱管に分散し、伝熱管内を下向きに流れて伝熱管の下方にある下部集合室へ流れ落ちる。洗浄水はその後、下部集合室からドレンタンク６へ流れ落ち、ドレンの排出と同様のルートで排水される。下部集合室とドレンタンク６の間で配管に設置している排水遮断弁１９を開いていると、洗浄は流水洗浄となり、排水遮断弁１９を閉鎖しておけば、第一熱交換器４と第二熱交換器５を浸け置き洗浄（殺菌）することができる。またドレンタンク６の下流側で配管を閉鎖すればドレンタンク６も含めて浸け置き洗浄（殺菌）することができる。
【００２５】
殺菌剤を含んだ洗浄水を上流用洗浄水配管１６と下流用洗浄水配管１７の２系統から供給することで、殺菌ムラを発生することなく、第一熱交換器４と第二熱交換器５の全体を殺菌することができる。また、洗浄水配管は上流用洗浄水配管１６と下流用洗浄水配管１７に分岐しているが、洗浄水の供給を制御する洗浄水弁は、上流用洗浄水配管１６と下流用洗浄水配管１７に分岐した以降の部分に設置する。そして殺菌剤供給配管１８は、上流用洗浄水弁１３および下流用洗浄水弁１４より上流側の洗浄水配管に接続する。
【００２６】
洗浄水の供給を制御するだけであれば、洗浄水弁は分岐前の洗浄水配管に設置してもよいが、分岐前の洗浄水配管に洗浄水弁を設置した場合、真空配管９の第一熱交換器４よりも上流側と第二熱交換器５よりも下流側が、上流用洗浄水配管１６と下流用洗浄水配管１７によって繋がることになる。その場合、真空冷却工程時には、処理槽２から吸引してきた空気が洗浄水配管内を流れ、第一熱交換器４及び第二熱交換器５を通らずに真空発生装置１へ送られることになり、空気流量を冷却することによる体積の縮小が行えないため、減圧の効率が低下することになる。
【００２７】
分岐後の上流用洗浄水配管１６と下流用洗浄水配管１７にそれぞれ上流用洗浄水弁１３と下流用洗浄水弁１４を設置し、殺菌剤供給配管１８も上流用洗浄水弁１３及び下流用洗浄水弁１４より上流側に設置したものであると、真空冷却工程時に処理槽２から吸引してきた空気は、上流用洗浄水弁１３及び下流用洗浄水弁１４によって閉鎖されているために洗浄水配管の上流側を回ることはなくなる。そのため、処理槽２から吸引してきた空気は、第一熱交換器４と第二熱交換器５を通って冷却されることになり、空気の体積を縮小することができるため、効率よく減圧を行うことができ、冷却に要する時間を短縮することができる。
【００２８】
なお、本発明は以上説明した実施例に限定されるものではなく、多くの変形が本発明の技術的思想内で当分野において通常の知識を有する者により可能である。 
【００２９】
１  真空発生装置 
２  処理槽 
３  冷水ユニット 
４  第一熱交換器             
５  第二熱交換器 
６  ドレンタンク 
７  冷却用水配管 
８  循環ポンプ 
９  真空配管 
１０  冷水タンク 
１１  上流真空弁 
１２  下流真空弁 
１３  上流用洗浄水弁 
１４  下流用洗浄水弁
１５  殺菌剤供給弁
１６  上流用洗浄水配管
１７  下流用洗浄水配管
１８  殺菌剤供給配管
１９  排水遮断弁
【図１】
2018080846.tif 000003